【事件の表示】
　平成　９年特許願第２４４９６８号「計算機システム」拒絶査定不服審判事件〔平成１１年　３月３０日出願公開、特開平１１−　８５７１５〕について、次のとおり審決する。
【結　論】
　本件審判の請求は、成り立たない。
【理　由】
１．手続の経緯と本願発明 
　本願は、平成９年９月１０日の出願であって、平成１７年２月２２日付けで拒絶理由通知がなされ、同年４月１８日付けで手続補正がなされたが、同年７月２５日付けで拒絶査定がなされ、これに対し、同年８月３１日に審判請求がなされるとともに同日付けで手続補正（以下、「本件補正」という。）がなされ、同年１２月１４日付けで審査官から前置報告がなされ、平成１９年１０月１８日付けで当審より審尋がなされ、同年１２月２１日付けで回答書が提出されたものである。
　
　そして、本件補正は、平成１７年４月１８日付け手続補正書により補正された特許請求の範囲の請求項１を削除したものと認められるから、本件補正は請求項の削除を目的としている。
　そして、その請求項８に係る発明（以下「本願発明」という。）は、平成１７年８月３１日付け手続補正書により補正された特許請求の範囲の請求項８に記載された次のとおりのものと認める。
　
　「複数の独立して動作するクラスタと、それらに共有される複数の共有メモリを備え、前記クラスタと共有メモリ間にデータ転送を行うためのデータ転送パスが装備されると共に、
　前記各クラスタ及び各共有メモリには、それぞれレジスタを備え、かつ、前記クラスタ及び共有メモリの初期化処理や前記レジスタの制御を行うためのサービスプロセッサを装備し、前記各サービスプロセッサ間が専用のサービスプロセッサ間通信パスを介して通信可能に接続され、
　前記サービスプロセッサが、前記クラスタと共有メモリにおけるデータ転送パスの論理的な接続関係を示す構成情報を決定し、その構成情報を前記レジスタに設定することで、任意のデータ転送パスの接続関係を可能とした計算機システムにおいて、
　前記レジスタに設定する構成情報の内、電源投入時に使用される初期情報を更新する際、一部装置の電源が切断状態にあっても、前記初期情報に時刻情報を付加し、次回の電源投入時において構成情報における論理的な矛盾を発生させないように、常に最新となる初期情報への同期を図る初期情報同期手段と、
　構成情報の変更と読み出しが競合した場合に、それらを同時に実行させないようにするスケジューラ機構の処理において、個々の処理を優先順位別に幾つか分類し、優先順位の高いものから動作させるスケジューラ処理手段を備えていることを特徴とした計算機システム。」
　
２．引用文献
　
Ａ．原査定の拒絶の理由に引用された、特開平６−１１９３０５号公報（以下、「引用文献１」という。）には以下の事項が記載されている。（注意：下線は便宜上、当審にて付与したもの。） 
　
（ア）「【０００２】
【従来の技術】図５はＳＣＭＰシステムの構成例を示す図である。図において、
１ａ〜は一つの独立して動作可能な計算機システムであり、クラスタ
保守・運転制御用のＳＶＰ
【０００３】
３ａ〜は大規模な記憶装置であって、システム記憶装置（ＳＳＵ）と呼ばれ、複数のクラスタ１ａ〜によって共有
データ転送パス
【０００４】
システム記憶装置（ＳＳＵ）３ａ〜にも保守・運転制御用のＳＶＰ４ａ〜が付属
ＳＶＰ間通信パス
【０００５】
クラスタ１ａ〜とＳＳＵ３ａ〜との結合関係
構成制御命令
【０００６】図２はＳＣＭＰシステムの説明図である。
クラスタ１ａ〜の主記憶とＳＳＵ３ａ〜間のデータ転送パスが開設
【０００７】ＳＣＭＰシステム内で、現在ＳＳＵに対して
オンラインになって動作しているクラスタとＳＳＵのグループをＳＣＭＰサブシステム
【０００８】
ＳＣＭＰ内に所属するクラスタ、ＳＳＵは、システム電源の投入時にすべてオンラインになり、同じＳＣＭＰサブシステムに所属
【０００９】各クラスタにて動作するＯＳは構成制御命令を使って、必要に応じてＳＳＵとのオンライン状態を変更したり障害ユニット（クラスタ／ＳＳＵ）を切り離したりできる。
【００１０】
ＳＣＭＰ構成制御命令は
ＳＶＰに指示し、具体的な処理をＳＶＰが行う
【００１１】構成制御命令には、現在の構成を読み出す命令（読出命令）と構成を変更する命令（変更命令）とがあるが、どちらもＣＰＵの命令の中でも特に長時間を要する命令である。
【００１２】別々のクラスタから、ほぼ同時に、異なる構成にする変更命令が出されたとすると、それをそのまま同時並行して実行した場合、結果の構成がどうなるかを保証できない。また
変更命令と読出命令が出された場合、変更途中の中途半端なものが読み出される恐れ
構成制御命令は一つずつ順次処理
　
（イ）「【００１７】このようなシステムにおいて、以下のようにする。システム電源投入後、各クラスタＳＶＰはシステム内のＳＳＵの電源投入を指示し、自分のクラスタの初期化を行う（S1）。
【００１８】
各ＳＳＵ−ＳＶＰをセンスして（S2）スケジューラと指定されているものがあるか否かを検査
【００１９】
スケジューラがあればそのＳＳＵ−ＳＶＰの番号を保持
【００２０】スケジューラは、それを待ち行列に入れて管理し（T4）、順次実行権を付与してクラスタＳＶＰに応答する（T5）。実行権を与えられたクラスタＳＶＰは、構成制御命令を実行する(S7)。
【００２１】その後でスケジューラであったＳＳＵ−ＳＶＰの状態を判断して（S8）、スケジューラであることに変更がなければ、実行権を返却し（S9）、ＣＰＵに終了したことを伝える（S12)。
【００２２】変更があれば、適当なアルゴリズムによりスケジューラとするべきＳＳＵ−ＳＶＰを決定して、それを指定し（S10)、スケジューラが交代したことを他のクラスタのＳＶＰに通知し（S11)、ＣＰＵに終了したことを伝える(S12)ようにしたことを特徴としている。
【００２３】
【作用】システム電源が投入されたあと、ＳＳＵ−ＳＶＰの一つが、構成制御命令の実行権を与える権限をもつスケジューラに自律的に決定される。そのあと
スケジューラが、構成制御命令を実行しようとするクラスタＳＶＰを１つずつ順序だてて指定して実行させるので矛盾した結果になることはない
　
（ウ）「【００２６】・・・（中略）・・・　図３に電源投入後、
ＳＳＵ−ＳＶＰの１つがスケジューラに選定され決定される
【００２７】ここではクラスタは３つ、ＳＳＵも３つあるシステムとする。システムの電源が投入されると、電源制御により各クラスタの電源が少しずつ時間をずらして投入される。ここではクラスタ−０、クラスタ−１、クラスタ−２の順に投入されるものとする。
【００２８】最初に電源が投入されたクラスタ−０のＳＶＰは、システム内のすべてのＳＳＵの電源を投入するよう制御する。そして自分のクラスタの初期化を行ったあと、すべての
ＳＳＵ−ＳＶＰの状態をセンスし、スケジューラとして指定されているものがあるかどうかを調べる
【００２９】スケジューラが不在の場合、スケジューラとなる資格を備えたＳＳＵ−ＳＶＰの内から適当なアルゴリズムにより１つを選択し、スケジューラに決定する。スケジューラになるための資格は、ＳＣＭＰサブシステムに所属していて（オンラインであって）
担当するＳＳＵの初期化を終了している
【００３０】従って、クラスタ−０のＳＶＰはＳＳＵ−０のＳＶＰをスケジューラに設定する。他のクラスタＳＶＰも電源投入後、同様に動作するが、ＳＳＵ電源の投入指示は重ねて行っても問題はない。
【００３１】次にスケジューラ情報のセンスにおいて、最初のクラスタ−０のＳＶＰによるスケジューラ設定の後であれば、
どれがスケジューラになっているかの情報を得て
【００３２】以上の手順によれば、クラスタの立ち上げの順番には関係なく、
必ず１つのＳＳＵ−ＳＶＰがスケジューラとして設定
　
（エ）「【００３３】ここでは、クラスタ−０では読出命令がだされ、クラスタ−１ではＳＳＵ−０をオフラインにする変更命令がだされ、クラスタ−２では読出命令がだされ、それらがほぼ同時であったとする。
【００３４】各クラスタＳＶＰは実行権をスケジューラであるＳＳＵ−０のＳＶＰに要求する。スケジューラはそれらの要求を待ち行列に入れて管理する。そして実行権をどれにも与えてなければ、待ち行列の順位が一位のクラスタ−０に対して実行権を与える。
【００３５】実行権を得たクラスタ−０のＳＶＰは構成制御命令を実行した後、スケジューラの資格検査を行う。具体的にはスケジューラの状態情報をセンスして判断する。変化がなければ構成制御命令の実行が終了したことを伝える。すなわち実行権を返却したことになる。
【００３６】この後ＣＰＵに終了通知をすれば構成制御命令の実行は完了する。スケジューラは実行権を返却されると、次の順位の要求に対して実行権を与える。ここではクラスタ−１のＳＶＰに与える。」
　
　（ア）の段落【０００２】における記載「【従来の技術】図５はＳＣＭＰシステムの構成例を示す図である。図において、１ａ〜は一つの独立して動作可能な計算機システムであり、クラスタと呼ばれる。クラスタ１ａ〜は主記憶とＣＰＵとチャネル装置からなり、保守・運転制御用のＳＶＰ（Service Processor)２ａ〜が付属し、」、段落【０００３】における記載「３ａ〜は大規模な記憶装置であって、システム記憶装置（ＳＳＵ）と呼ばれ、複数のクラスタ１ａ〜によって共有される。クラスタ１ａ〜の主記憶との間にデータ転送パス６をもち、クラスタ１ａ〜の要求に応じて大量のデータを高速にやりとりする。」及び段落【０００４】における記載「システム記憶装置（ＳＳＵ）３ａ〜にも保守・運転制御用のＳＶＰ４ａ〜が付属している。各ＳＶＰは他のＳＶＰとＳＶＰ間通信パス５を通して、通信することができる。」からすると、
　引用文献１には、複数の独立して動作するクラスタと、それらに共有される複数のシステム記憶装置を備え、前記クラスタとシステム記憶装置間にデータ転送を行うためのデータ転送パスが装備されると共に、前記各クラスタ及び各システム記憶装置には、それぞれ前記クラスタ及びシステム記憶装置の保守・運転制御を行うためのＳＶＰを装備し、前記各ＳＶＰ間が専用のＳＶＰ間通信パスを介して通信可能に接続された計算機システムが記載されている。
　そして、（イ）の段落【００１７】における記載「システム電源投入後、各クラスタＳＶＰはシステム内のＳＳＵの電源投入を指示し、自分のクラスタの初期化を行う」及び（ウ）の段落【００２９】における記載「スケジューラとなる資格を備えたＳＳＵ−ＳＶＰの内から適当なアルゴリズムにより１つを選択し、スケジューラに決定する。スケジューラになるための資格は、ＳＣＭＰサブシステムに所属していて（オンラインであって）担当するＳＳＵの初期化を終了していることである。」からすると、
　前記ＳＶＰは、それぞれ前記クラスタ及びシステム記憶装置の初期化処理を行うと解される。
　また、（ア）の段落【０００６】における記載「クラスタ１ａ〜の主記憶とＳＳＵ３ａ〜間のデータ転送パスが開設されているとき、そのクラスタはＳＳＵに対してオンラインである、あるいはそのＳＳＵはオンライン状態であるという。」、段落【０００７】における記載「ＳＣＭＰシステム内で、現在ＳＳＵに対してオンラインになって動作しているクラスタとＳＳＵのグループをＳＣＭＰサブシステムと呼ぶ。図２においては、ＳＳＵ−０，ＳＳＵ−ｎ，クラスタ─０，クラスタ１，クラスタ−ｍが１つのＳＣＭＰサブシステムを成す。またそれ以外のＳＳＵとクラスタにより別のＳＣＭＰサブシステムを構成することも可能である。」、及び段落【０００８】における記載「ＳＣＭＰ内に所属するクラスタ、ＳＳＵは、システム電源の投入時にすべてオンラインになり、同じＳＣＭＰサブシステムに所属する。」からすると、
　クラスタとシステム記憶装置におけるデータ転送パスの結合関係（構成情報）は、事前に必要に応じて適宜設定可能（以下、簡単のため、事前に必要に応じて適宜設定可能な構成情報を「初期構成情報」という。）であり、前記計算機システムは、電源投入時に、事前に必要に応じて適宜設定可能な初期構成情報に基づいて、クラスタとシステム記憶装置におけるデータ転送パスの結合関係を初期設定すると解される。
　
　さらに、（ア）の段落【０００５】における記載「クラスタ１ａ〜とＳＳＵ３ａ〜との結合関係は、構成制御命令と呼ばれる命令によって自由に設定することができる。」及び段落【００１０】における記載「ＳＣＭＰ構成制御命令は各クラスタのＯＳがＣＰＵに実行させる。実際にはＣＰＵはクラスタ付属のＳＶＰに指示し、具体的な処理をＳＶＰが行う。」からすると、
　前記ＳＶＰは前記クラスタとシステム記憶装置におけるデータ転送パスの結合関係を示す構成情報を決定し、その構成情報を設定することで、任意のデータ転送パスの結合関係の構成制御を行うと解される。
　
　また、（ア）の段落【００１２】における記載「別々のクラスタから、ほぼ同時に、異なる構成にする変更命令が出されたとすると、それをそのまま同時並行して実行した場合、結果の構成がどうなるかを保証できない。また変更命令と読出命令が出された場合、変更途中の中途半端なものが読み出される恐れがある。従って構成制御命令は一つずつ順次処理する必要がある。」及び（イ）の段落【００２３】における記載「スケジューラが、構成制御命令を実行しようとするクラスタＳＶＰを１つずつ順序だてて指定して実行させるので矛盾した結果になることはない。」からすると、
　前記計算機システムには、構成情報の変更と読み出しが競合した場合に、それらを同時に実行させないようにするスケジューラを設けていると解される。
　そして、（ア）の段落【０００２】における記載「クラスタ１ａ〜は主記憶とＣＰＵとチャネル装置からなり、保守・運転制御用のＳＶＰ（Service Processor)２ａ〜が付属し、外部に入出力装置をもつ。」からすると、クラスタＳＶＰはクラスタの付属装置であるから、クラスタＳＶＰの有する機能は、クラスタの有する機能と解される。
　そして、（エ）の段落【００３４】における記載「各クラスタＳＶＰは実行権をスケジューラであるＳＳＵ−０のＳＶＰに要求する。スケジューラはそれらの要求を待ち行列に入れて管理する。そして実行権をどれにも与えてなければ、待ち行列の順位が一位のクラスタ−０に対して実行権を与える。」からすると、前記スケジューラの処理において、個々の要求を待ち行列に入れて管理し、待ち行列の順位に従って、実行権を要求したＳＶＰに対して、順番に実行権を与えるように動作させる手段（以下、簡単のため「スケジューラ処理手段」という。）を備えていると解される。
　
  よって、（ア）〜（エ）における記載及び関連する図面からすると、引用文献１には、次の発明（以下、「引用発明１」という。）が記載されているものと認められる。 
　
　複数の独立して動作するクラスタと、それらに共有される複数のシステム記憶装置を備え、前記クラスタとシステム記憶装置間にデータ転送を行うためのデータ転送パスが装備されると共に、
　前記各クラスタ及び各システム記憶装置には、それぞれ前記クラスタ及びシステム記憶装置の初期化処理や前記クラスタとシステム記憶装置におけるデータ転送パスの結合関係の構成制御を行うためのＳＶＰを装備し、前記各ＳＶＰ間が専用のＳＶＰ間通信パスを介して通信可能に接続され、
　前記ＳＶＰが、前記クラスタとシステム記憶装置におけるデータ転送パスの結合関係を示す構成情報を決定し、その構成情報を設定することで、任意のデータ転送パスの結合関係を可能とした計算機システムにおいて、
　電源投入時に、事前に必要に応じて適宜設定可能な初期構成情報に基づいて、クラスタとシステム記憶装置におけるデータ転送パスの結合関係を初期設定し、
　構成情報の変更と読み出しが競合した場合に、それらを同時に実行させないようにするスケジューラの処理において、個々の要求を待ち行列に入れて管理し、待ち行列の順位に従って、実行権を要求したＳＶＰに対して、順番に実行権を与えるように動作させるスケジューラ処理手段を備えていることを特徴とした計算機システム。
　
Ｂ．原査定の拒絶の理由に引用された、特開平７−１２９５２９号公報（以下、「引用文献２」という。）には以下の事項が記載されている。（注意：下線は便宜上、当審にて付与したもの。） 
　
（オ）「【０００９】
【課題を解決するための手段】前記目的を達成するために、本発明は、複数の端末システムを管理するホスト計算機が、通信回線を介して複数接続された通信ネットワークの構成情報獲得方法において、各
ホスト計算機の起動後
通信相手のホスト計算機の構成情報および通信相手のホスト計算機が管理する複数の端末システムの構成情報を獲得
　
（カ）「【００１２】図１は、本発明の一実施例の通信ネットワークの全体構成を示す全体構成図である。図１において、自側ホスト計算機１は、自側アプリケーションプログラム１１と自側通信管理プログラム１２を具備している。また、自側ホスト計算機１には自側の通信制御処理装置（以下、ＣＣＰという）２が接続されている。また、自側ＣＣＰ２には自側通信回線３により自側端末システム４が接続されている。
【００１３】これに対して、相手側ホスト計算機５は、自側ホスト計算機１と同様に相手側アプリケーションプログラム５１と相手側通信管理プログラム５２を具備している。また同様に、相手側ホスト計算機５にも、相手側ＣＣＰ６が接続されている。
【００１４】また、相手側ＣＣＰ６には、相手側通信回線７により相手側端末システム８が接続されている。そして、自側ＣＣＰ２と相手側ＣＣＰ６はＣＣＰ間接続回線９によって接続されている。
【００１５】自側通信管理プログラム１２では、通信ネットワークの構成情報として自側ホスト計算機１、自側通信管理プログラム１２、自側アプリケーションプログラム１１、自側ＣＣＰ２、自側通信回線３及び自側端末システム４を定義すると共にＣＣＰ間接続回線９、相手側ＣＣＰ６、相手側ホスト計算機５及び相手側通信管理プログラム５２を定義する。
【００１６】しかし、自側通信管理プログラム１２のための通信ネットワークの構成情報には、相手側アプリケーションプログラム５１、相手側通信回線７及び相手側端末システム８は定義しない。
【００１７】図２はネットワーク構成情報獲得時の処理手順を示すフローチャートである。
【００１８】図２において、まず、
自側通信管理プログラム１２が起動されると
相手側通信管理プログラム５２に対し、構成情報要求コマンドを送り、
構成情報レコード１２７（図３参照）を獲得
【００１９】自側通信管理プログラム１２では、
相手通信管理プログラム５２から獲得した構成情報レコード１２７により自側通信管理プログラム１２内の構成情報に定義
【００２０】これにより、自側アプリケーションプログラム１１と相手側端末システム８および相手側アプリケーションプログラム５１間の端末システムによる
ユーザ通信が可能
【００２１】また同様に、相手側アプリケーションプログラム５１と自側端末システム４間の端末システムによるユーザ通信も可能になる。」
　
（キ）「【００２９】図３は構成情報レコードの内部構成を示す構成図である。図３において、構成情報レコード１２７は、PDUタグ１２７１、PDU長１２７２、ホスト名称１２７３、相手構成情報作成時刻１２７４、およびエントリ（１）１２７５からエントリ（ｎ）１２７５ｎで構成される。
【００３０】また、各エントリ、例えば、エントリ（１）１２７５は、分類１２７５ａ、エントリ長１２７５ｂ、および相手側の各種構成情報（アプリケーションプログラム、通信回線、および端末システム）１２７５ｃから構成される。
【００３１】図３示すように、構成情報レコード１２７中に、相手側通信管理プログラム５２の
構成情報を定義した年月日および時刻のフィールドを設ける
【００３２】以上により、ホスト計算機間の端末システムによるユーザ通信開始時の構成情報問い合わせによる時間的なロスを低減することができる。
【００３３】なお、自側通信管理プログラム１２が相手側通信管理プログラム５２と通信する場合に、まず
構成情報を定義した年月日および時刻に関する情報だけを報告させてそれを判定する
初めて
再度定義した場合にのみ
獲得する
　
　（オ）の段落【０００９】における記載「ホスト計算機の起動後であって、かつ、端末システム間の通信開始前に、」及び（カ）の段落【００１８】における記載「図２において、まず、自側通信管理プログラム１２が起動されると、」からすると、引用文献２に記載された「ホスト計算機の起動」の態様として、計算機システムの電源投入時における起動を含むことは当業者にとって明らかである。
　よって、（オ）〜（キ）における記載及び関連する図面からすると、引用文献２には、次の発明（以下、「引用発明２」という。）が記載されているものと認められる。
　
　計算機システムの電源投入時に、電源投入時に使用される構成情報を用いて、通信回線を介して複数接続された通信ネットワーク構成を初期設定する計算機システムにおいて、前記構成情報を更新する際、前記構成情報に時刻情報を付加し、次回の電源投入時に該時刻情報を参照することで、構成情報における論理的な矛盾を発生させないように、常に最新構成情報への同期を図る手段を備えた計算機システム。
　
３．対比
　ここで、本願発明と引用発明１とを比較する。 
　引用発明１の「システム記憶装置」、「ＳＶＰ」及び「スケジューラ」は、それぞれ、本願発明の「共有メモリ」、「サービスプロセッサ」及び「スケジューラ処理機構」に相当する。
　また、引用発明１の「結合関係」は、本願発明の「論理的な接続関係」及び「接続関係」に相当する。
　そして、引用発明１の「クラスタとシステム記憶装置（共有メモリ）におけるデータ転送パスの結合関係の構成制御」と、本願発明の「レジスタの制御」とは、ともに構成情報の制御である点で一致する。
　また、引用発明１が「電源投入時に、事前に必要に応じて適宜設定可能な初期構成情報に基づいて、クラスタとシステム記憶装置におけるデータ転送パスの結合関係を初期設定」するものであり、本願発明が「レジスタに設定する構成情報の内、電源投入時に使用される初期情報を更新する」とあることから、両者はともに、電源投入時に初期情報を使用して電源投入時の構成情報を設定するとともに前記初期情報が更新可能である点で一致する。
　また、引用発明１の「個々の要求を待ち行列に入れて管理し、待ち行列の順位に従って、実行権を要求したＳＶＰに対して、順番に実行権を与えるように動作させるスケジューラ処理手段」と、本願発明の「個々の処理を優先順位別に幾つか分類し、優先順位の高いものから動作させるスケジューラ処理手段」とは、ともに個々の処理を所定の順位に従い動作させる点で一致する。
　
　以上から、本願発明と引用発明１とは、以下の点で一致し、また、相違している。
　
（一致点）
　複数の独立して動作するクラスタと、それらに共有される複数の共有メモリを備え、前記クラスタと共有メモリ間にデータ転送を行うためのデータ転送パスが装備されると共に、
　前記各クラスタ及び各共有メモリには、それぞれ前記クラスタ及び共有メモリの初期化処理や構成情報の制御を行うためのサービスプロセッサを装備し、前記各サービスプロセッサ間が専用のサービスプロセッサ間通信パスを介して通信可能に接続され、
　前記サービスプロセッサが、前記クラスタと共有メモリにおけるデータ転送パスの論理的な接続関係を示す構成情報を決定し、その構成情報を設定することで、任意のデータ転送パスの接続関係を可能とした計算機システムにおいて、
　電源投入時に初期情報を使用して電源投入時の構成情報を設定し、前記初期情報は更新可能な情報であって、
　構成情報の変更と読み出しが競合した場合に、それらを同時に実行させないようにするスケジューラ機構の処理において、個々の処理を所定の順位に従い動作させるスケジューラ処理手段を備えていることを特徴とした計算機システム。
　
（相違点１）
　本願発明の各クラスタ及び各共有メモリは、それぞれレジスタを備え、そして各クラスタ及び各共有メモリに装備されたサービスプロセッサが該レジスタを制御し、構成情報を該レジスタに設定し、電源投入時に初期情報を使用してレジスタに構成情報を設定するのに対して、引用発明１の各クラスタ及び各システム記憶装置が、それぞれレジスタを備えているかどうか、また各クラスタ及び各システム記憶装置に装備されたＳＶＰが該レジスタを制御し、構成情報を該レジスタに設定するかどうか、また電源投入時に初期構成情報を使用してレジスタに構成情報を設定するかどうか、不明な点。
　
（相違点２）
　本願発明は「電源投入時に使用される初期情報を更新する際、一部装置の電源が切断状態にあっても、前記初期情報に時刻情報を付加し、次回の電源投入時において構成情報における論理的な矛盾を発生させないように、常に最新となる初期情報への同期を図る初期情報同期手段」を有するのに対して、引用発明１は電源投入時に使用される初期構成情報を更新する際、一部装置の電源が切断状態にあっても、前記初期構成情報に時刻情報を付加し、次回の電源投入時において構成情報における論理的な矛盾を発生させないように、常に最新となる初期構成情報への同期を図る初期構成情報同期手段を有していない点。
　
（相違点３）
　本願発明の「スケジューラ処理手段」は、個々の処理を優先順位別に幾つか分類し、優先順位の高いものから動作させるのに対して、引用発明１の「スケジューラ処理手段」は、個々の要求を待ち行列に入れて管理し、待ち行列の順位に従って、実行権を要求したＳＶＰに対して、順番に実行権を与えるように動作させる点。
　
４．判断
　相違点１について検討する。
　本願の出願の日前の平成３年１１月２１日に頒布された刊行物である特開平３−２６２０７０号公報に、
　「本発明は複数のプロセッサエレメントとこれらのプロセッサエレメントが共有するシステム記憶装置とから構成されるマルチプロセッサシステム（ＳＣＭＰ：Ｓｙｓｔｅｍ　Ｃｏｕｐｌｅｄ　Ｍｕｌｔｉ　Ｐｒｏｃｅｓｓｏｒ．以下、ＳＣＭＰシステムと称する）におけるシステムの構成制御方式に関する。」（２頁左上欄１２行目〜１７行目）及び
　「このＳＣＭＰシステムでは、各システム記憶装置３Ａ、３Ｂは第７図に示されるような構成制御レジスタＣＦＲ（Ａ）、ＣＦＲ（Ｂ）をそれぞれ持っており、また各プロセッサエレメント２ａ〜２ｄは第８図に示されるような構成制御レジスタＣＦＲ（ａ）〜ＣＦＲ（ｄ）をそれぞれ持っている。これらの構成制御レジスタは装置間の接続状態を示すためのものであり、接続状態で“１”のビットが、未接続状態で“０”のビットがセットされるようになっている。」（２頁右上欄下から１行目〜左下欄９行目）（備考：（ａ）及び（ｄ）は、それぞれ丸付きａと丸付きｄの置き換え。）と記載されているように
　ＳＣＭＰシステム（すなわち、複数のプロセッサエレメントとこれらのプロセッサエレメントが共有するシステム記憶装置とから構成されるマルチプロセッサシステム）において、各プロセッサ及び各システム記憶装置が構成制御レジスタを備えることは、当業者にとって周知の技術である。
　そして、本願の出願の日前の平成２年８月２４日に頒布された刊行物である特開平２−２１２９３１号公報に、
　「情報処理装置とは別体のサービスプロセッサ（以下、単にＳＶＰと略称する）を用いて、システムの立ち上げ、システム作動状態の監視、およびオペレーションの窓口として機能させている。すなわち、システム毎に異なる構成制御情報等は、立ち上げ時において、上記ＳＶＰを通じて情報処理装置内の構成制御レジスタ等に登録される方式となっている。」（１頁右下欄１０行目〜１７行目）及び
　「ＳＶＰ１０には構成制御情報格納用ファイル１２と、構成制御情報初期設定部１１、論理構成制御情報解読編集部１４、構成制御情報設定部２２および内部テーブルとして論理構成制御情報テーブル２３と、物理構成制御情報テーブル２１とを有している。
　・・・（中略）・・・　
　次に情報処理装置１の初期設定時には、構成制御情報初期設定部１１によって、上記ファイル１２に格納されている物理構成制御情報テーブル２１が読み出され、このテーブル１３内の設定手順並びに設定値によって情報処理装置Ｉ内の構成制御レジスタ２に対して所定の設定を行う。」（２頁左上欄７行目〜右上欄１０行目。）と記載されているように、
　情報処理装置において、サービスプロセッサ（ＳＶＰ）が情報処理装置内の構成制御レジスタを制御、設定するとともに、前記ＳＶＰ（サービスプロセッサ）が初期設定時（すなわち、電源投入時）に初期情報を使用して、構成制御レジスタに構成情報を初期設定することは、当業者にとって周知の技術である。
　してみると、引用発明１の計算機システムにおいて、本願発明のように、各クラスタ及び各システム記憶装置が、それぞれレジスタを備え、各クラスタ及び各システム記憶装置に装備されたＳＶＰが該レジスタを制御し、構成情報を該レジスタに設定し、電源投入時に初期構成情報を使用してレジスタに構成情報を設定する構成とすることは、当業者であれば適宜なし得たことである。
　よって、相違点１は格別のものではない。
　
　次に、相違点２について検討する。
　引用文献２に記載されているように
「計算機システムの電源投入時に、電源投入時に使用される構成情報を用いて、通信回線を介して複数接続された通信ネットワーク構成を初期設定する計算機システムにおいて、前記構成情報を更新する際、前記構成情報に時刻情報を付加し、次回の電源投入時に該時刻情報を参照することで、構成情報における論理的な矛盾を発生させないように、常に最新構成情報への同期を図る手段を備えた計算機システム」は、当業者にとって公知である。
　そして、引用発明１の電源投入時に使用される「初期構成情報」が事前に必要に応じて適宜設定可能すなわち、更新可能であることから、引用発明１と引用発明２とは、ともに初期情報に基づいて電源投入時に通信ネットワーク構成を初期設定する計算機システムであって、前記初期情報を更新可能な点において両者は技術的に共通の分野に属するものである。
　してみると、引用発明１の「初期構成情報」の更新に引用発明２の同期を図る手段を適用することで、本願発明のように、電源投入時に使用される初期構成情報を更新する際、前記初期構成情報に時刻情報を付加し、次回の電源投入時において構成情報における論理的な矛盾を発生させないように、常に最新となる初期構成情報への同期を図る初期構成情報同期手段を備える構成とすることは、当業者であれば容易に想到し得たことである。
　なお、こうすることで、電源投入時に使用される初期構成情報を更新する際、一部装置の電源が切断状態にあっても、次回の電源投入時において構成情報における論理的な矛盾を発生させないように、常に最新となる初期構成情報への同期が図られることは、明らかである。
　よって、相違点２は格別のものではない。
　
　最後に、相違点３について検討する。
　本願の出願の日前の平成６年９月９日に頒布された刊行物である特開平６−２５０９１０号公報に（注意：下線は便宜上、当審にて付与したもの。）、
「【０００７】・・・（中略）・・・　トランザクション処理システムにおいても、端末制御プロセスとデータベースなどへの処理を遂行する業務処理プロセスとの間の通信をメッセージキューを用いて行い、一つの業務処理プロセスに対して
複数のキューを用意
業務処理の内容や優先度を各キューに対応させる
　また、本願の出願の日前の平成８年７月２日に頒布された刊行物である特開平８−１７１５２６号公報に（注意：下線は便宜上、当審にて付与したもの。）、
「【０００５】
【課題を解決するための手段】本発明の入出力インタフェース装置はホストコンピュータからの入出力要求にもとづいて情報記憶装置の情報の入出力を行う入出力インタフェース装置において、前記ホストコンピュータから一定時間内に完了する必要のある入出力要求を受け取るバスインタフェース制御部と、前記バスインタフェース制御部から前記入出力要求を受け取り、保持する
優先度付きキュー
スケジュール機構
　また、本願の出願の日前の平成７年１０月２７日に頒布された刊行物である特開平７−２８２０１３号公報に、
「【０００３】・・・（中略）・・・　分散処理システムの各処理ノード間でメッセージ通信を行う際に、該メッセージに優先度を付随させ、優先度の高いメッセージから順に処理を行うものである」と記載されているように、
　処理要求をスケジューリングするスケジューラ処理において、個々の処理要求を優先順位別に幾つか分類し、優先順位の高いものから処理するスケジューラ処理手段は、当業者にとって周知の技術である。
　してみると、引用発明１の「スケジューラ処理手段」に、前記周知技術を適用することで、本願発明のように、個々の処理を優先順位別に幾つか分類し、優先順位の高いものから動作させる構成とすることは、当業者であれば適宜なし得たことである。
　よって、相違点３は格別のものではない。
　
　上記で検討したごとく、相違点１〜相違点３はいずれも格別のものではなく、そして、本願発明の構成によってもたらされる効果も、当業者であれば当然に予測可能なものに過ぎず格別なものとは認められない。
　
５．結び
　以上のとおり、本願発明は、引用文献１、引用文献２、及び周知技術に基いて、当業者が容易に発明をすることができたものであるから、特許法第２９条第２項の規定により特許を受けることができない。
　よって、上記結論のとおり、審決する。